(57)【特許請求の範囲】
【請求項１】
書き込み可能なタイプの記録担体に、前記記録担体の入射面を通って入射する放射のビームによって記録層上のトラックにマークを書き込むことにより情報を記録する方法であって、前記記録担体は、
第１の記録層及び第２の記録層を有し、前記第１の記録層は前記第２の記録層よりも前記入射面に近い位置に存在し、前記記録担体は更に、
前記第１の記録層上に第１の方向に螺旋状に延在するトラックと、前記第２の記録層上に前記第１の方向とは逆の第２の方向に螺旋状に延在するトラックとを有し、これらトラックが中間ゾーンにより論理的に中断された２つの部分の記録エリアを構成し、前記中間ゾーンは、前記第１の記録層の末尾に配置された第１の中間部分と、前記第２の記録層の先頭に配置された第２の中間部分とによって物理的に構成され、前記記録エリアは、前記第１の記録層の先頭に配置されたリードインゾーンによって先行され、且つ前記第２の記録層の末尾に配置されたリードアウト情報によって後続され、
前記方法は、
外側のリードアウト部分及び内側のリードアウト部分を記録するステップを有するリードアウト記録ステップを有し、双方の前記リードアウト部分は未記録エリアによって離隔され、合わせて前記第２の記録層上のリードアウトゾーンを構成し、
前記内側のリードアウト部分は、ディスク装填処理の間に前記第２の記録層にアクセスするために読み取り装置によって利用される径位置の範囲をカバーする所定の径位置の範囲において記録され、
前記外側のリードアウト部分は、ユーザ情報を含む前記第２の記録層のエリアの末尾に記録される方法。
【請求項２】
前記リードアウト記録ステップは、記録又は読み取り装置における利用のための記録担体の初期化の間に、前記内側のリードアウト部分を記録する初期リードアウトステップと、ユーザ情報の記録の後に前記外側のリードアウト部分を記録する終了リードアウトステップとを有する、請求項１に記載の方法。
【請求項３】
前記初期リードアウトステップは、前記ユーザ情報の記録の間に、バックグラウンドモードで実行される、請求項２に記載の方法。
【請求項４】
前記リードインゾーンは、ディスク装填処理の間にアクセスされるべき制御データを有し、前記所定の径位置の範囲は、前記制御データが配置される径位置の範囲に対応する、請求項１に記載の方法。
【請求項５】
前記記録担体は光ディスクであり、前記所定の径位置の範囲は、２４ｍｍの半径の近くに、且つ２４ｍｍの半径から略内側に配置される、請求項４に記載の方法。
【請求項６】
前記リードアウト記録ステップは、前記記録担体の他の径位置におけるトラックの更なる部分において充填データを書き込むステップを有する、請求項１に記載の方法。
【請求項７】
記録担体の入射面を通って入射する放射のビームによって記録層上のトラックにマークを書き込むことにより情報を記録するための書き込み可能なタイプの記録担体であって、前記記録担体は、
第１の記録層及び第２の記録層を有し、前記第１の記録層は前記第２の記録層よりも前記入射面に近い位置に存在し、各前記記録層は、前記トラックの位置を示すプリトラックパターンを有し、前記記録担体は更に、
前記第１の記録層上に第１の方向に螺旋状に延在するトラックと、前記第２の記録層上に前記第１の方向とは逆の第２の方向に螺旋状に延在するトラックとを有し、これらトラックが中間ゾーンにより論理的に中断された２つの部分の記録エリアを構成し、前記中間ゾーンは、前記第１の記録層の末尾に配置された第１の中間部分と、前記第２の記録層の先頭に配置された第２の中間部分とによって物理的に構成され、前記記録エリアは、前記第１の記録層の先頭に配置されたリードインゾーンによって先行され、且つ前記第２の記録層の末尾に配置されたリードアウト情報によって後続され、
前記記録担体は、外側のリードアウト部分及び内側のリードアウト部分を記録するステップを有するリードアウト記録ステップを実行するための、前記プリトラックパターンにエンコードされたリードアウト制御情報を有し、前記部分の両方は、未記録エリアによって離隔され、合わせて前記第２の記録層上のリードアウトゾーンを構成し、
前記内側のリードアウト部分は、ディスク装填処理の間に前記第２の記録層にアクセスするために読み取り装置によって利用される径位置の範囲をカバーする所定の径位置の範囲において記録され、前記外側のリードアウト部分は、ユーザ情報を含む前記第２の記録層のエリアの末尾に記録される記録担体。
【請求項８】
前記リードアウト制御情報は、前記第２の記録層上のリードアウトゾーンの前記内側のリードアウト部分の位置を示す、請求項７に記載の記録担体。
【請求項９】
書き込み可能なタイプの記録担体に、前記記録担体の入射面を通って入射する放射のビームによって記録層上のトラックにマークを書き込むことにより情報を記録する装置であって、前記記録担体は、
第１の記録層及び第２の記録層を有し、前記第１の記録層は前記第２の記録層よりも前記入射面に近い位置に存在し、前記記録担体は更に、
前記第１の記録層上に第１の方向に螺旋状に延在するトラックと、前記第２の記録層上に前記第１の方向とは逆の第２の方向に螺旋状に延在するトラックとを有し、これらトラックにより、中間ゾーンにより論理的に中断された２つの部分の記録エリアを構成し、前記中間ゾーンは、前記第１の記録層の末尾に配置された第１の中間部分と、前記第２の記録層の先頭に配置された第２の中間部分とによって物理的に構成され、前記記録エリアは、前記第１の記録層の先頭に配置されたリードインゾーンによって先行され、且つ前記第２の記録層の末尾に配置されたリードアウト情報によって後続され、
前記装置は、
前記ビームを供給するためのヘッドと、
外側のリードアウト部分及び内側のリードアウト部分を記録するためのリードアウト手段を有する制御ユニットとを有し、前記部分の両方は、未記録エリアによって離隔され、合わせて前記第２の記録層上のリードアウトゾーンを構成し、前記内側のリードアウト部分は、ディスク装填処理の間に前記第２の記録層にアクセスするために読み取り装置によって利用される径位置の範囲をカバーする所定の径位置の範囲において記録され、前記外側のリードアウト部分は、ユーザ情報を含む前記第２の記録層のエリアの末尾に記録される装置。
【請求項１０】
プリトラックパターンからリードアウト制御情報を取得するためのプリトラック復調ユニットを有し、前記リードアウト制御情報は、前記第２の記録層上のリードアウトゾーンの前記内側のリードアウト部分の位置を示す、請求項９に記載の装置。
【発明の詳細な説明】
【技術分野】
【０００１】
本発明は、トラックにマークを書き込むことにより書き込み可能なタイプの記録担体に情報を記録する方法に関する。
【０００２】
本発明は更に、記録担体及び前記記録担体に記録するための装置に関する。
【背景技術】
【０００３】
光記録担体に記録するための方法は国際特許出願公開WO00/43996によって知られている。前記記録担体は、トラックの位置を示すための通常プリグルーブと呼ばれるガイドグルーブを有し、該トラックにおいて、光読み取り可能なマークを記録することにより所定の方法で情報が表現される。前記プリグルーブは、横方向における前記トラックの周期的な変位（以下、ウォブルと呼ぶ）によって曲折している。前記ウォブルは、アドレスのような付加情報に従って周期を変化させられる。記録装置は、前記トラックを走査するための放射のビームを生成するためのヘッドを備える。前記マークは、前記走査の間、前記走査される表面の反射率の変化によって検出される。反射される放射の強度の変化は、主検出システムによって検出される。更に走査装置は、前記トラックに対する前記ヘッドの空間的な逸脱を検出するため、前記プリグルーブに基づきトラッキングサーボ信号を生成するための副検出器を持つ。前記トラッキングサーボ信号は、前記トラック上に前記ヘッドを位置決めするためにアクチュエータを制御するため利用される。前記ウォブルの周期の変化は、例えばアドレス情報のような補助情報を取得するために検出される。書き込み可能なタイプの記録担体が読み取り装置において読み取られる場合、前記読み取り装置は完全に記録されたディスクを期待し、とりわけ第２の記録層が記録され、リードアウトゾーンが記録されたデータの末尾に存在することを期待し得る。既知の記録担体の問題は、前記第２の記録層のかなりのエリアが未だ記録されておらず、ユーザがディスクがかような読み取り装置における利用のために準備されていると決定した場合に、多くのエリアが記録される必要があり、該ユーザにとって苛立たしい遅延を引き起こすことである。
【発明の開示】
【発明が解決しようとする課題】
【０００４】
それ故本発明の目的は、記録担体が読み取り装置における利用のために準備されたものとなる必要がある場合に遅延を防止する方法、記録担体及び記録装置を提供することにある。
【課題を解決するための手段】
【０００５】
本発明の第１の態様によれば、本目的は、書き込み可能なタイプの記録担体に、前記記録担体の入射面を通って入射する放射のビームによって記録層上のトラックにマークを書き込むことにより情報を記録する方法であって、前記記録担体は、第１の記録層及び第２の記録層を有し、前記第１の記録層は前記第２の記録層よりも前記入射面に近い位置に存在し、各前記記録層は、前記トラックの位置を示すプリグルーブのパターンを有し、前記記録担体は更に、前記第１の記録層上に第１の方向に螺旋状に延在するトラックと、前記第２の記録層上に前記第１の方向とは逆の第２の方向に螺旋状に延在するトラックとを有し、これらトラックが中間ゾーンにより論理的に中断された２つの部分の記録エリアを構成し、前記中間ゾーンは、前記第１の記録層の末尾に配置された第１の中間部分と、前記第２の記録層の先頭に配置された第２の中間部分とによって物理的に構成され、前記記録エリアは、前記第１の記録層の先頭に配置されたリードインゾーンによって先行され、且つ前記第２の記録層の末尾に配置されたリードアウト情報によって後続され、前記方法は、外側のリードアウト部分及び内側のリードアウト部分を記録するステップを有するリードアウト記録ステップを有し、双方の前記リードアウト部分は未記録エリアによって離隔され、合わせて前記第２の記録層上のリードアウトゾーンを構成し、前記内側のリードアウト部分は、ディスク装填処理の間に前記第２の記録層にアクセスするために読み取り装置によって利用される径位置の範囲をカバーする所定の径位置の範囲において記録され、前記外側のリードアウト部分は、ユーザ情報を含む前記第２の記録層のエリアの末尾に記録される方法により達成される。
【０００６】
本発明の第２の態様によれば、本目的は、請求項７において記載の記録担体により達成される。本発明の第３の態様によれば、本目的は、請求項９に記載の記録装置により達成される。
【０００７】
本方法の効果は、内側のリードアウト部分が、読み取り装置が第２の記録層にアクセスする前記記録担体の比較的小さなエリアに記録されるという点である。記録されたユーザエリアの末尾においても、比較的小さいエリアに外側のリードアウト部分が記録される。それ故、両方のエリアを記録することは、限られた時間しか必要としない。なぜなら、内側の部分と外側の部分との間のエリアは未記録のままであるからである。
【０００８】
本発明はまた、以下の認識に基づく。前記記録担体は、例えばＤＶＤ（Digital Versatile Disc）プレイヤのような、既存の読み取り装置において読み取り可能である必要がある。前記読み取り装置は、予想可能な方法でディスク装填手順を実行する。とりわけ各読み取り装置は、第１の記録層上の既知のエリアから所定の制御データを取得する必要がある。なぜなら、前記記録担体は所定のフォーマットに従ってフォーマットされるべきであるからである。本発明者は、かような装填手順において、第２の記録層のための読み取りテストが予想され、該テストが予想可能な径位置において実行され、該位置はとりわけ前記第１の記録層上の前記制御データに対応する径位置の周囲であることを見出した。それ故、実際の標準化された環境においては、前記第２の層に記録される必要がある所定の範囲は決定されることができ、当該エリアのみが内側のリードアウト部分を構成して記録される必要がある。記録されたユーザデータの末尾に外側のリードアウト部分を更に記録することにより、リードアウトゾーンは効果的に２つの記録部分に分割され、その間にかなりの未記録エリアを持つ。前記未記録エリアは読み取り装置を如何様にも妨害しない。
【０００９】
本方法の実施例においては、前記リードアウト記録ステップは、記録又は読み取り装置における利用のための記録担体の初期化の間に、前記内側のリードアウト部分を記録する初期リードアウトステップと、ユーザ情報の記録の後に前記外側のリードアウト部分を記録する終了リードアウトステップとを有する。終了リードアウトステップが、読み取り専用装置における利用のため、前記記録担体を終了する間に実行されても良い。このことは、記録セッションの終了時において、外側のリードアウト部分のみが依然として記録される必要があり、ユーザにとっての遅延を更に減少させるという利点を持つ。
【００１０】
本発明による方法及び装置の更なる好適な実施例は、更なる請求項において与えられる。
【００１１】
本発明のこれらの及び他の態様は、以下の説明において例として記載される実施例を参照しながら、及び添付する図を参照しながら、更に説明され明らかとなるであろう。図において、既に説明された要素の対応する要素は同一の参照番号を持つ。
【発明を実施するための最良の形態】
【００１２】
図１ａは、トラック９と中央穴１０とを持つディスク型の記録担体１１を示す。トラック９は、記録層上に略平行なトラックを構成する巻の螺旋パターンに従って配置される。前記記録担体は、記録可能なタイプの情報層を持つ光ディスクであっても良い。記録可能なディスクの例は、ＣＤ−Ｒ及びＣＤ−ＲＷ並びにＤＶＤ＋ＲＷである。記録可能なタイプの記録担体上のトラック９は、例えばプリグルーブのような、ブランクの記録担体の製造の間に備えられるプリトラック（pre-track）構造によって示される。記録された情報は前記情報層において、前記トラックに沿って記録された光検出可能なマークによって前記情報層上に表される。前記マークは、第１の物理パラメータの変化によって構成され、これにより周囲と異なる光学特性を持つ。前記マークは、例えば反射率の変化のような、反射ビームの変化によって検出可能である。
【００１３】
図１ｂは、記録可能なタイプの記録担体１１の線ｂ−ｂに沿ってとられた断面図である。ここで、透明な基板１５が、記録層１６及び保護層１７を備える。プリトラック構造が例えばプリグルーブ１４によって構成され、走査の間読み取り／書き込みヘッドがトラック９を追従することを可能とする。プリグルーブ１４は、窪み又は隆起として実装されても良いし、前記プリグルーブの物質とは異なる光学特性を持つ物質から成っても良い。前記プリグルーブは、走査の間読み取り／書き込みヘッドがトラック９に追従することを可能とする。プリトラック構造はまた、周期的にサーボ信号を発生させる規則的に延在するサブトラック又はプリピットによって形成されても良い。前記記録担体は、例えばビデオ又はオーディオ情報のようなリアルタイム情報を担持するように意図されても良いし、又はコンピュータデータのような他の情報を担持するように意図されても良い。
【００１４】
図１ｃは、前記トラックのウォブルの例を示す。本図は、ウォブルとも呼ばれる、前記トラックの横方向の位置の周期的な変化を示す。前記変化は、例えば走査装置のヘッドにおける中央スポットで部分検出器によって生成されるプッシュプルチャネルにおいて、付加的な信号が副検出器に生じるようにする。前記ウォブルは例えば周波数変調され、位置情報が該変調にエンコードされる。かような方法でエンコードされたディスク情報を有する書き込み可能なＣＤシステムにおける、図１ｃに示されたような先行技術のウォブルの包括的な記載は、米国特許US4,901,300（PHN12398）及び米国特許US5,187,699（PHQ88002）において見出される。
【００１５】
走査による読み出しの間、トラッキングサーボ信号を生成するための検出器セグメント又は付加的な検出器により検出可能な放射ビームの断面における強度の変化のような、放射の第２のタイプの変化を介して、ウォブル変調が検出可能である。トラッキングサーボシステムのためのウォブルの検出は、上述のＣＤ−Ｒ及びＣＤ−ＲＷシステムから良く知られている。ウォブル変調は、例えばＤＶＤ＋ＲＷシステム及び国際特許出願公開WO00/43996におけるように、物理アドレス及び制御情報をエンコードするために利用される。本発明によるリードアウト情報を記録するための方法は、多層記録担体に関する。「上位」（及び「下位」）層は、レーザの入射面に近い方の層（及び該入射面から遠い層）を示し、実際にはレーザの位置に依存して前記記録担体の上部又は底部になり得ることに留意されたい。
【００１６】
実施例においては、前記記録担体は、リードアウト制御情報をエンコードするためのプリトラック変調を持つ。前記リードアウト制御情報は、２つの部分にリードアウト情報が記録されるべきであることを示す。前記部分は例えば、図１ａにおけるエリア１２によって模式的に示されるような所定の制御エリアである。前記リードアウト制御情報は、国際特許出願公開WO00/43996に記載されるようにＡＤＩＰにエンコードされても良い。代替として前記リードアウト制御情報は、ＤＶＤ−ＲＷにおけるようにプリピットに、又は読み取り専用ディスクにおけるようにピット及びランドを利用した予めエンボスされたデータエリアに、エンコードされても良い。前記リードアウト制御情報は、リードアウト記録ステップを実行するための、２つの部分へのリードアウトの記録を示す。前記リードアウト記録ステップは、以下に示すように外側のリードアウト部分及び内側のリードアウト部分を記録するステップを有し、前記リードアウト情報は例えば、下位記録層におけるリードアウトゾーンの内側のリードアウト部分の位置である。
【００１７】
図２は、リードアウト記録機能を持つ記録装置を示す。前記装置は記録担体１１上のトラックを走査する手段を備える。該手段は、記録担体１１を回転させるための駆動ユニット２１、ヘッド２２、前記トラックにヘッド２２を位置決めするためのサーボユニット２５、及び制御ユニット２０を含む。ヘッド２２は、放射ビーム２４を生成するための、既知のタイプの光学系を有する。放射ビーム２４は、光学素子を通して誘導され、前記記録担体の情報層のトラック上の放射スポット２３にフォーカスされる。放射ビーム２４は、例えばレーザダイオードのような放射源によって生成される。前記ヘッドは更に、（図示されていないが）前記ビームの光軸に沿って放射ビーム２４のフォーカスを移動させるためのフォーカスアクチュエータと、前記トラックの中心へのスポット２３の径方向の詳細な位置決めのためのトラッキングアクチュエータとを有する。前記トラッキングアクチュエータは、光学素子を径方向に移動させるためのコイルを有しても良く、又は代替として反射素子の角度を変化させるように構成されても良い。前記フォーカスアクチュエータ及びトラッキングアクチュエータは、サーボユニット２５からのアクチュエータ信号によって駆動される。読み取りのため、前記情報層により反射された放射が、例えば４象限ダイオードのような、ヘッド２２中の通常のタイプの検出器によって検出される。これにより、主走査信号３３とトラッキング及びフォーカスのためのエラー信号３５とを含む種々の走査信号を生成するためのフロントエンドユニット３１に結合される検出器信号を生成する。エラー信号３５は、前記トラッキングアクチュエータ及びフォーカスアクチュエータを制御するために、サーボユニット２５に結合される。エラー信号３５はまた、ウォブル変調又はプリピットのようなプリトラックパターンから物理アドレス及び他の制御情報を取得するために、プリトラック復調ユニット３２に結合される。主走査信号３３は、情報を取得するため、復調器、デフォーマッタ及び出力ユニットを含む、通常のタイプの読み取り処理ユニット３０によって処理される。
【００１８】
前記装置は、例えばＣＤ−Ｒ若しくはＣＤ−ＲＷ又はＤＶＤ＋ＲＷ若しくはＢＤのような、書き込み可能な又は再書き込み可能なタイプの記録担体に情報を記録するための記録手段を備える。前記記録手段は、書き込みビームの放射を生成するためヘッド２２及びフロントエンドユニット３１と協働し、ヘッド２２を駆動するために書き込み信号を生成するため、入力情報を処理する書き込み処理手段を有する。前記書き込み処理手段は、入力ユニット２７、フォーマッタ２８及び変調器２９を有する。情報を書き込みため、前記ビームの放射は、記録層に光検出可能なマークを生成するように制御される。前記マークは光読み取り可能ないずれの形態であっても良く、例えば色素、合金又は相変化物質のような物質において記録される場合に得られる、周囲とは異なる反射係数を持つエリアの形態であっても良く、又は光磁気物質において記録される場合に得られる、周囲と異なる偏光の方向を持つエリアの形態であっても良い。
【００１９】
光ディスクへの記録のための情報の書き込み及び読み取り及びフォーマット化、エラー訂正、並びにチャネル符号化規則は、例えばＣＤ又はＤＶＤシステムから、本分野においては良く知られている。実施例においては、入力ユニット２７は、アナログオーディオ及び／又はビデオ又はディジタルの圧縮されていないオーディオ／ビデオのような入力信号のための圧縮手段を有する。適切な圧縮手段はビデオについてＭＰＥＧ規格において記載されており、ＭＰＥＧ−１がＩＳＯ／ＩＥＣ１１１７２において定義され、ＭＰＥＧ−２がＩＳＯ／ＩＥＣ１３８１８において定義されている。前記入力信号は代替として、かような規格に従って既にエンコードされていても良い。
【００２０】
制御ユニット２０は、情報の記録及び取得を制御し、ユーザから又はホストコンピュータからコマンドを受信するように構成されても良い。制御ユニット２０は、例えばシステムバスのような制御線２６を介して、前記装置中の他のユニットに接続される。制御ユニット２０は、以下に説明するような処理及び機能を実行するための、例えばマイクロプロセッサのような制御回路、プログラムメモリ及びインタフェースを有する。制御ユニット２０は、論理回路における状態機械として実装されても良い。本発明によれば、前記制御ユニットは、以下に説明するように、２つの部分へのリードアウトの記録のためのリードアウトユニット３６を持つ。実施例においては、前記リードアウトユニットは、ウォブル復調ユニット３２を介して、前記プリグルーブからの前記リードアウト制御情報の取得を実行する。
【００２１】
図３は、多層光ディスクを示す。Ｌ０は第１の記録層４０であり、Ｌ１は第２の記録層４１である。第１の透過層４３は前記第１の記録層をカバーし、スペーサ層４２が記録層４０と記録層４１とを離隔し、基板４４が第２の記録層４１の下に示されている。第１の記録層４０は、第２の記録層４１よりも、前記記録担体の入射面４７に近い位置に配置される。Ｌ０層にフォーカスされた第１の状態４５のレーザビームが示され、またＬ１層にフォーカスされた第２の状態４６のレーザビームが示される。多層ディスクは、ＤＶＤ−ＲＯＭ又はＤＶＤ−Ｖｉｄｅｏのような読み取り専用の予め記録されたディスクとして既に利用可能である。２層ＤＶＤ＋Ｒディスクは最近提案され、該ディスクは好ましくは２層ＤＶＤ−ＲＯＭ規格に準拠するべきである。両方の層の反射レベルは１８％以上である。Ｌ０層は、約５０乃至７０％の透過率を持つ。スペーサ層は、これらの層を３０μｍと６０μｍとの間の典型的な厚さで分離する。Ｌ１層は高い反射率を持ち、非常に敏感である必要がある。再書き込み可能な２層ディスクも提案されている。Ｌ０層は約４０乃至６０％の透過率を持つ。両方の層の実効反射率は典型的には７％であるが、より低い及びより高い値が可能である（３％乃至１８％）。３層以上の記録層を持つ書き込み可能及び再書き込み可能な光記憶媒体も検討されている。
【００２２】
必要とされるＤＶＤ−ＲＯＭ規格のような既存の読み取り専用の標準化された記録担体との互換性のため、ＤＶＤタイプの２層記録可能（又は再書き込み可能）ディスクについては、ディスクのレイアウトについて２つの選択肢がある。これら２つの選択肢は、「平行トラックパス（parallel track path、ＰＴＰ）」及び「逆行トラックパス（opposite track path、ＯＰＴ）」と呼ばれ、両方の層における螺旋の方向を示す。ＰＴＰディスクにおいては、層ごとに１つの情報ゾーン（全体で２つ）があり、ＯＴＰディスクにおいては、２つの層に渡って延在する１つの情報ゾーンがある。逆行トラックパス（ＯＴＰ）モードにおける２層ディスクについてのＤＶＤ−ＲＯＭ規格においては、２つの層に渡って延在する１つの情報ゾーンが定義されている。
【００２３】
図４は、逆行トラックパス記録担体を模式的に示す。横方向の矢印５１は径位置（外側に向けて増大）を示し、縦方向の矢印５２は物理アドレス、即ちセクタ番号を示す。線４９は、外側に向かって増大するＬ０層４０上のアドレスを示し、線５０は、内側に向かって増大するＬ１層４１上のアドレスを示す。前記記録ゾーンは、Ｌ０上に第１のデータゾーン５４を持ち、Ｌ１上に第２の部分５７を持ち、中間ゾーンによって中断される。前記中間ゾーンは、記録Ｌ０層４０の末尾における第１の中間ゾーン５５と、Ｌ１記録層４１の（トラック方向における）先頭における第２の中間ゾーン５６とによって構成される。データゾーン５４及び５７中の矢印は、螺旋方向を示す。前記記録ゾーンは、Ｌ０記録層の先頭においてリードインゾーン５３によって先行され、Ｌ１記録層の末尾においてリードアウトゾーン５８によって終わる。２層よりも多い層を持つ多層ディスクは、第２の記録層の末尾に第３の中間エリアを持ち、第３の記録層の先頭に第４の中間エリアを持つ等し得ることに留意されたい。リードアウトゾーンは最後の記録層の終わりに位置する。以下、２層ディスクの「下位層」即ち「Ｌ１層」が本発明を説明するために利用され、２層より多い層を持つディスクの場合における下位層を含むものとみなされる。
【００２４】
一般に、標準化されたＤＶＤプレイヤは、２層ＤＶＤ上の全ての場所において両方の層にデータを期待する。２層ＤＶＤ＋Ｒの場合には、この要求は、記録された２層ＤＶＤ＋Ｒは全ての場所においてデータを含むべきであること、即ち両方の層が完全にデータで充填されているべきであることを意味する。ディスクの利用可能な全容量を利用しない記録の場合には、２層ＤＶＤ−ＲＯＭと１００％互換性のあるものとなるためには、原則として、該ディスクの残りの空の部分が、ユーザデータを含まないリードアウトで充填されるべきである。充填は非常に時間を消費する処理であり、ディスクを記録した後の、許容できないほど長いフォーマット時間及び／又は完了時間に帰着するため望ましくない。単層ＤＶＤ＋Ｒにおいては、残りの空のスペースを充填することを回避するため、データゾーンの末尾において、限られた長さ（３２０個のＥＣＣブロック）のリードアウトが定義され、ディスクの残りの部分は空のままである。しかしながら２層ディスクの場合には、ディスクの残りの部分、即ち特に深く存在する層Ｌ１（の大部分）を空のままにすることは、当該層Ｌ１にアクセスしようと試みるＤＶＤプレイヤがいずれのデータにも遭遇しないために失敗するという問題をもたらす。層Ｌ０とＬ１との両方にアクセスすることは例えば、両方の層についてフォーカスオフセットのようなパラメータを調節するために、新たに挿入されたディスクの読み出しの開始においてＤＶＤプレイヤにおける典型的な状況と考えられる。層Ｌ１の読み取りにおける失敗は、層Ｌ１にユーザデータが全く無い場合であっても、かようなディスクの読み取りのための完全な失敗に帰着し得る。
【００２５】
本発明によれば、リードアウトゾーンは、外側のリードアウト部分及び内側のリードアウト部分として記録され、両方の部分は未記録エリアによって離隔され、合わせてＬ１記録層に準連続的なリードアウトゾーンを構成する。前記内側のリードアウト部分は、ディスク装填処理の間に、第２の記録層にアクセスするために読み取り装置によって利用される径位置の範囲に対応する所定の径位置をカバーする。前記外側のリードアウト部分は、Ｌ１記録層におけるユーザデータの末尾において記録される。それ故、前記外側のリードアウト部分は、記録されたデータの末尾を定義し、前記ユーザデータの末尾が到達された場合にＤＶＤプレイヤに読み出しを停止させる。前記外側のリードアウト部分は、サイズを制限されても良い（ＤＶＤについては典型的に３２０個のＥＣＣブロック）。前記内側のリードアウト部分は、リードアウトのために予約されたゾーンにおいて、ディスクの径方向の内側において、層Ｌ１に書き込まれる。前記内側のリードアウト部分は、データゾーンの末尾において、所定のリードアウトゾーンの直前に、幾分早く開始しても良い。前記内側のリードアウト部分は、例えば読み出しの開始時において、ＤＶＤプレイヤがＬ１にアクセスするためにジャンプを実行する場合、重要である。
【００２６】
実施例において、前記内側のリードアウト部は、例えばディスクの別個の初期化によって又はバックグラウンドの書き込み処理として、最初の記録セッションの間に既に記録される。このことは、記録セッションの終了におけるディスクの終了処理のために必要とされる時間を削減する。Ｌ１記録層にフォーカスエリアを生成することのような他の理由のためにも、初期化の間にリードアウトデータを記録することは有利である。前記初期化は、記録処理の開始前に実行される。前記内側のリードイン部分の記録は、データの記録の間にバックグラウンドモードで実行されても良い。例えば、可変レートのビデオを記録する間、幾分かの時間が、バックグラウンドの記録タスクのために利用可能であろう。このことは、記録が開始される前に必要とされる初期化時間を削減するという利点を持つ。
【００２７】
図５は、２つの部分に記録されたリードアウトを示す。記録ゾーンは、Ｌ０層４０上に、記録されたユーザデータを持つ第１のデータゾーン５４を持つ。前記記録ゾーンはまた、Ｌ１層４１上に第２の部分６１を持つ。第１のデータゾーン５４と第２の部分６１とは、記録Ｌ０層４０の末尾における第１の中間部分５５と、Ｌ１記録層４１の（トラック方向の）先頭における第２の中間部分５６とにより構成される中間ゾーンによって中断される。前記記録ゾーンは、Ｌ０記録層の先頭においてリードインゾーン５３によって先行され、Ｌ１記録層の末尾においてリードアウトゾーン６４によって終わる。リードインゾーン５３はＬ０上に配置され、半径２２．６ｍｍから半径２４．０ｍｍまでに亘る。リードインは制御情報を含む必要があり、ディスクが標準的なＤＶＤプレイヤによって読み取られる場合には常に存在するべきである。しかしながら、リードアウトゾーン６４は規定の内容を持たない。Ｌ１層上のデータゾーン６１中の記録されたユーザデータの末尾において、第１のリードアウト部分６２が記録される。第１のリードアウト部分６２は、これ以上のデータが記録されていないことをＤＶＤプレイヤに示すリードアウトデータを含む。ＤＶＤプレイヤはまた、挿入されたディスクのタイプを検出した場合、スタートアップ処理の間にＬ１層にアクセスする。ＤＶＤプレイヤは、２層ディスクが挿入されたか否かを決定するため、Ｌ１層にアクセスを試みる。スタートアップの間のアクセスは、所定の径位置の周囲で、とりわけリードインゾーンの末尾の周囲で実行される。図５は、ＤＶＤプレイヤのアクセス点の周囲、とりわけ図示されるようにＲ＝２４ｍｍの径位置の周囲に記録された第２のリードアウト部分６３を示す。第１のリードアウト部分６２と第２のリードアウト部分６３との間には、未記録エリア６５が配置される。第２の記録層の少しの部分だけがユーザデータを含むときにユーザが記録を停止することを決定した場合、未記録エリア６５はかなりの長さを持ち得る。２層より多い層を持つディスクについては、対応する径位置に更なるリードアウト部分が記録されても良い。２以上の別個の部分にリードアウトを記録することにより、部分的に記録された２層ＤＶＤ＋Ｒのフォーマット化又は初期化におけるかなりの削減が達成されつつ、既存のＤＶＤプレイヤにおける読み出しと最大限の互換性を提供する。
【００２８】
実用的な実施例においては、２層ＤＶＤ＋Ｒは、径位置２４．０００ｍｍにおいて開始するＬ０層中のデータゾーンと、径位置２４．０００ｍｍにおいて終了するＬ１層中のデータゾーンとを持つ。前記データゾーンに対して内側に隣接して、Ｌ１層中のリードアウトゾーンが存在することができる。該Ｌ１層中のリードアウトゾーンと同じ径位置において、層Ｌ０上に制御データを持つリードインゾーンが存在する。一般的なＤＶＤプレイヤは、層Ｌ０上の制御データが配置された径位置（径位置２４．０００ｍｍに近い）における直接の層ジャンプによって、（例えばフォーカスオフセットの較正のため）層Ｌ１にアクセスする。それ故、前記内側のリードアウト部分については、この半径の近隣にリードアウトデータを記録することで十分である。記録されるべきリードアウトデータのサイズを決定するために、例えばＬ０とＬ１との間の特有な偏心値を考慮する必要がある。実用的な実施例においては、前記内側のリードイン部分は、２３．８０乃至２４．２０ｍｍに記録される。
【００２９】
実施例においては、半径２４ｍｍの近くの記録されたエリアに加え、ユーザデータの末尾において、記録されたデータを終了する更なるリードアウトデータが記録される。更に実施例においては、リードアウト記録ステップは、記録担体の別の径位置におけるトラックの更なる部分に充填ビットを書き込むステップを有する。前記更なる部分はとりわけ、前記中間部分に配置される。読み取り専用ディスクとの互換性のため、前記記録担体の別のエリアが記録される必要があり得る。それ故、例えばゼロデータ又は規格に従った所定の値によって充填されたデータブロックのような充填データが、下位の層のアクセスが予期されるトラックの更なる部分に記録される。例えば、ビデオのようなリアルタイムデータを記録する間、前記中間部分を（完全に）記録することが可能でないかも知れず、再生装置が中間ゾーン中の他の層をアクセスしようと試みるかも知れない。それ故、リードアウト部分を書き込むことにより記録が終了させられた場合、下位の層のアクセスが予期される径方向のエリアに少なくとも部分的に、充填データを書き込むことにより、前記中間部分が付加的に記録される。
【００３０】
本発明は主に反射率の変化に基づく光ディスクを利用した実施例によって説明されたが、本発明は書き込み可能な記録担体に予め適用されたパターンを持つ正方形の光カード、光磁気ディスク又は他のいずれのタイプの情報記憶システムのような、他の記録担体にも適している。本明細書において、「有する（comprising）」なる語は列記されたもの以外の要素又はステップの存在を除外するものではないこと、要素に先行する「１つの（a又はan）」なる語は複数のかような要素の存在を除外するものではないこと、いずれの参照記号も請求の範囲を限定するものではないこと、本発明はハードウェア及びソフトウェアの両方によって実装され得ること、及び幾つかの「手段」又は「ユニット」が同一のハードウェア又はソフトウェアによって表されても良いことに留意されたい。更に、本発明の範囲は実施例に限定されるものではなく、本発明は上述したそれぞれの及び全ての新規な特徴又は特徴の組み合わせに存する。
【図面の簡単な説明】
【００３１】
【図１（ａ）】ディスク型の記録担体（上面図）を示す。
【図１（ｂ）】記録担体の断面図を示す。
【図１（ｃ）】トラックのウォブルの例を示す。
【図２】リードアウト記録機能を持つ記録装置を示す。
【図３】多層光ディスクを示す。
【図４】逆行トラックパス記録担体を模式的に示す。
【図５】２つの部分に記録されたリードアウトを示す。
【図１ａ】
0004480717.tif 000002
【図１ｂ】
0004480717.tif 000003
【図１ｃ】
0004480717.tif 000004
【図２】
0004480717.tif 000005
【図３】
0004480717.tif 000006
【図４】
0004480717.tif 000007
【図５】
0004480717.tif 000008